(57)【要約】【課題】  商品の形状や幅に関わりなく綺麗に包装することができ、装置の小型化も可能な包装装置を提供する。【解決手段】  二つ折り状態の包装用フィルム１０を開いて、送り方向を変えるとともに表裏を反転させ、そのフィルム間に商品を挿入可能とするフィルム成形器１２を有する。フィルム成形器１２は、フィルム１０を介して商品を支持する載置部１４と、この載置部１４と平行に位置しフィルム１０の送り方向に対して互いに対称に斜めに位置したフィルムガイド部１５，１６とを備える。載置部１４のフィルム送り方向に対して上流側には、二つ折りフィルム１０のほぼ中心部に向かって突出した突出部２０を備える。突出部２０は、二つ折りフィルム１０の送り方向上流側であって下方に向かって斜めに位置した二等辺三角形状に形成され、その頂点２０ａが、二つ折りフィルム１０の稜線１０ａに当接する。【選択図】        図１
2005112433.tif 000002
【特許請求の範囲】
【請求項１】
二つ折り状態の包装用フィルムをロール状に巻き取ったフィルムロールと、このフィルムロールから引き出されたフィルムを開いて送り方向を変えるとともに表裏を反転させてそのフィルム間に商品を挿入可能とするフィルム成形器を有し、上記フィルム成形器は、上記フィルムを介して商品を支持する載置部と、この載置部と平行に位置し上記フィルムの送り方向に対して互いに対称に斜めに位置したフィルムガイド部とを備えた包装装置において、上記載置部の上記フィルム送り方向に対して上流側であって上記二つ折りフィルムのほぼ中心部に向かって突出した突出部を設けたことを特徴とする包装装置。
【請求項２】
上記フィルム成形器の突出部は、上記二つ折りフィルムの送り方向上流側であって下方に向かって斜めに位置した二等辺三角形状に形成され、この二等辺三角形の頂点が、上記二つ折りフィルムの稜線に当接して、上記二つ折りフィルムの稜線部分から側縁部に張力を付与することを特徴とする請求項１記載の包装装置。
【請求項３】
上記フィルム成形器の突出部は、上記二つ折りフィルムの送り方向上流側に膨らみ、上記二つ折りフィルムの稜線部分から側縁部に張力を付与することを特徴とする請求項１記載の包装装置。
【発明の詳細な説明】
【技術分野】
【０００１】
この発明は、ロール状に巻かれた包装用フィルムを引き出して筒状に成形し、商品をその間に挿通させて、所定の箇所でそのフィルムを溶断及び溶着して商品を包装する包装装置に関する。
【背景技術】
【０００２】
従来、熱収縮性フィルムを用いて商品を包装する包装装置は、ロール状に巻き取られた二つ折り状態の包装用フィルムの間に商品を包み込ませるため、フィルムを筒状に成形するフィルム成形器を有していた。このフィルム成形器は、フィルムを引き出して開くとともに９０°方向を転向して二つ折り状態のフィルムの表裏を反転し、フィルムを筒状に成形するものである。筒状に成形されたフィルムの長手方向の両側縁部は、互いに重ねられ、筒状のフィルム内に商品が挿入され、フィルムの前後端部が溶断溶着されて包装が完了する。
【特許文献１】特開２００３−５４５０２号公報
【発明の開示】
【発明が解決しようとする課題】
【０００３】
上記従来技術の場合、フィルム成形器は二つ折り状態のフィルムを、その中央部の折り目を中心として開いて筒状に成形するものであるが、商品の形状が比較的薄い場合等に、中心位置が安定せず、きれいに包装できない場合があった。これは、商品の幅に対して高さが比較的低い場合に、筒状に形成する二つ折りフィルムの送り方向に対して、フィルムの両側縁部が開く角度が比較的大きく、張力の不釣り合い等により、稜線がフィルムの中心位置で安定せず、筒状に成形する直前の二つ折りフィルムの稜線がフィルム送りとともに変動することが原因であった。これを安定化させるには、二つ折り状態からフィルム成形器に至るまでの距離を長くすればよいが、この距離を長くすると装置の大型化を招き、無駄なスペースを取ってしまうという問題があり、装置の小型化のためには、フィルムロールとフィルム成形器とはできる限り近くに設置したいものであった。従って、包装装置の小型化と包装の安定化とは相反するものであった。
【０００４】
この発明は上記従来の技術の問題点に鑑みて成されたもので、商品の形状や幅に関わりなく綺麗に包装することができ、装置の小型化も可能な包装装置を提供することを目的とする。
【課題を解決するための手段】
【０００５】
この発明は、二つ折り状態の包装用フィルムをロール状に巻き取ったフィルムロールと、このフィルムロールから引き出されたフィルムを開いて送り方向を変えるとともに表裏を反転させてそのフィルム間に商品を挿入可能とするフィルム成形器を有し、上記フィルム成形器は、上記フィルムを介して商品を支持する載置部と、この載置部と平行に位置し上記フィルムの送り方向に対して互いに対称に斜めに位置したフィルムガイド部とを備えた包装装置において、上記載置部の上記フィルム送り方向に対して上流側であって上記二つ折りフィルムのほぼ中心部に向かって突出した突出部を設けた包装装置である。
【０００６】
上記フィルム成形器の突出部は、上記二つ折りフィルムの送り方向上流側であって下方に向かって斜めに位置した二等辺三角形状に形成され、この二等辺三角形の頂点が、上記二つ折りフィルムの稜線に当接して、上記二つ折りフィルムの稜線部分から側縁部に張力を付与するものである。
【０００７】
また、上記フィルム成形器の突出部は、上記二つ折りフィルムの送り方向上流側に膨らみ、これにより上記二つ折りフィルムの稜線部分から側縁部に張力を付与するものでも良い。
【発明の効果】
【０００８】
この発明の包装装置は、商品の大きさや形状にかかわらず綺麗に安定して包装可能であり、包装装置の小型化にも寄与するものである。
【発明を実施するための最良の形態】
【０００９】
以下この発明の実施形態について図面に基づいて説明する。図１〜図３はこの発明の包装装置の第一実施形態を示すもので、この実施形態の包装装置は、図１に示すように、包装用に二つ折りされたフィルム１０と、フィルム１０を開いて商品を包み込み可能にするフィルム成形器１２を有している。
【００１０】
フィルム１０は、例えば、熱可塑性の熱収縮フィルムを二つ折りにして、フィルムロール１１としてロール状に巻き取られたものであり、その巻き取られたフィルムロール１１が、図示しないフィルム送り装置に取り付けられている。
【００１１】
フィルム成形器１２は、フィルム１０を介して商品を支持するもので水平に位置した載置部１４と、この載置部１４の上方で所定間隔を空けて平行に位置した一対の直角二等辺三角形のフィルムガイド部１５，１６と、載置部１４の両側から直角に設けられフィルムガイド部１５，１６との間に設けられた側壁部１７，１８とから成る。フィルム成形器１２の一対のフィルムガイド部１５，１６は、直角二等辺三角形の斜辺１５ａ、１６ａがフィルム送り方向に対して斜め４５°に互いに交差するようにして配置され、他の二辺がフィルム送り方向と直角および平行に各々位置している。各フィルムガイド部１５，１６は、その先端部が一部上下に対向して積層されて設けられている。
【００１２】
載置部１４のフィルム送り方向に対して上流側の側縁部１４ａには、フィルム１０のほぼ中心部に向かって突出した二等辺三角形の突出部２０が、一体に延出して設けられている。突出部２０は、二つ折りフィルム１０の送り方向上流側であって下方に向かって約３０°斜めに延出し、二等辺三角の頂点２０ａが、二つ折りフィルム１０の稜線１０ａに当接する。
【００１３】
この包装装置のフィルム成形器１２の載置部１４と面一の位置には、商品載置用の天板２２が設けられ、天板２２のほぼ中央部に開口部２４が形成され、この開口部２４に所定の空間部２６を開けて載置部１４が位置している。また、フィルム送り方向下流側には、フィルム１０を溶断溶着するシール装置２８が設けられ、商品毎にフィルム１０で包装した状態で溶断する。
【００１４】
この実施形態の包装装置は、フィルム１０をフィルムロール１１から繰り出し、転向ローラ３０を経て、天板２２の空間部２６を通過して上方のフィルム成形器１２に送る。フィルム成形器１２ではフィルム１０の二つ折りの稜線１０ａが、突出部２０の頂点２０ａに当接して、二つ折りフィルム１０の稜線部分から側縁部１０ｂに張力を付与する。この状態でフィルム１０を繰り出すと、フィルム１０は安定に稜線１０ａがフィルム１０の中心位置を維持して繰り出される。これにより、商品の包装形態も安定に綺麗なものとなる。
【００１５】
この実施形態の包装装置によれば、装置を小型化しても、商品の大きさや幅に関わりなく、安定に綺麗に包装可能である。
【００１６】
次にこの発明の第二実施形態の包装装置について図４に基づいて説明する。ここで、上述の実施形態と同様の部材については同一符号を付して説明を省略する。この実施形態の包装装置は、フィルム成形器１２の突出部２０が、二つ折りフィルム１０の送り方向上流側に膨らんだ湾曲形状に形成されたものである。これによっても、二つ折りフィルム１０の稜線１０ａ部分から側縁部１０ｂに張力を付与し、包装形態を安定に綺麗なものにすることができる。
【００１７】
尚、この発明の包装装置は、上記実施形態に限定されず、適宜設定できるものであり、二つ折りされていないフィルムロールからフィルムを引き出して成形し包装する包装装置にも利用可能なものである。そして、フィルム成形器の形状や大きさは適宜選択可能である。また、フィルム成形器の高さや幅の調整機構も適宜設定可能である。
【図面の簡単な説明】
【００１８】
【図１】この発明の第一実施形態の包装装置のフィルム成形器の使用状態の概略斜視図である。
【図２】この発明の第一実施形態の包装装置のフィルム成形器の平面図である。
【図３】この発明の第一実施形態の包装装置のフィルム成形器の側面図である。
【図４】この発明の第二実施形態の包装装置のフィルム成形器の斜視図である。
【符号の説明】
【００１９】
１０    フィルム
１１    フィルムロール
１２    フィルム成形器
１４    載置部
１５，１６    フィルムガイド部
１７，１８    側壁部
２０    突出部
【図１】
2005112433.tif 000003
【図２】
2005112433.tif 000004
【図３】
2005112433.tif 000005
【図４】
2005112433.tif 000006